(57)【要約】【課題】不正な開封防止に寄与する部分を有し、また、コスト低減を図ることが可能な遊技機の基板ケースを提供する。【解決手段】基板ケース１１は、樹脂製のベース部材１２及び蓋部材１３を備えている。基板ケース１１は、蓋部材１３に対してベース部材１２をスライド移動させて所定の重ね合わせ状態にする組み付けになっている。基板ケース１１は、ベース部材１２に複数のベース側係合手段１６を有しており、また、蓋部材１３に複数の蓋側係合手段１７を有している。基板ケース１１は、短手側壁部２０の内側にベース側係合手段１６を配置している。基板ケース１１は、ベース部材１２の底壁部１８や短手側壁部２０や保護部２７によってベース側係合手段１６及び蓋側係合手段１７を保護することができるように形成されている。【選択図】図４
2010246732.tif 000002
【特許請求の範囲】
【請求項１】
少なくとも基板を収納するための樹脂製のベース部材及び蓋部材を備え、これら前記ベース部材及び前記蓋部材を所定の重ね合わせ状態にすると、前記ベース部材に一又は複数形成されたベース側係合手段と前記蓋部材に一又は複数形成された蓋側係合手段とが係合可能な位置に配置される遊技機の基板ケースにおいて、
前記スライド移動の方向に平行な前記ベース部材の長手側壁部に対し交差する方向にのびる短手側壁部の内側と、前記ベース部材の底壁部の内側とに、前記ベース側係合手段を配置する
ことを特徴とする遊技機の基板ケース。
【請求項２】
請求項１に記載の遊技機の基板ケースにおいて、
前記短手側壁部に前記蓋側係合手段を保護するための保護部を形成する
ことを特徴とする遊技機の基板ケース。
【請求項３】
請求項１又は請求項２に記載の遊技機の基板ケースにおいて、
前記所定の重ね合わせ状態にするためとして、前記ベース部材及び前記蓋部材のいずれか一方を他方に対してスライド移動させるスライド構造を有する
ことを特徴とする遊技機の基板ケース。
【発明の詳細な説明】
【技術分野】
【０００１】
本発明は、遊技機を制御する基板を少なくとも収容するための、遊技機の基板ケースに関する。
【背景技術】
【０００２】
遊技機において例えばパチンコ機を例に挙げると、このパチンコ機の遊技盤裏側には、樹脂製のベース部材及び蓋部材を備える基板ケースが固定されている。基板ケースには、遊技制御を行うための主制御基板が少なくとも収容されている。基板ケースは、ベース部材及び蓋部材を所定の重ね合わせ状態にすることによって、主制御基板を外部から保護できるように形成されている。また、基板ケースは、主制御基板に実装されたＩＣ等が不正に交換されたりすることがないように、ベース部材の係合手段と蓋部材の係合手段とを係合させて、不正に開封できないようにも形成されている。
【０００３】
下記特許文献１に開示された基板ケースは、ベース部材と蓋部材とを備えて構成されている。基板ケースは、ベース部材の上から蓋部材を被せるようにしてこれらを重ね合わせて組み付けると、ベース部材の係合手段及び蓋部材の係合手段も重なり合うようになっている。基板ケースは、上下に重なり合った状態の係合手段同士を係合部材（例えばワンウェイねじ）によって係合させるようになっている
【先行技術文献】
【特許文献】
【０００４】
【特許文献１】特開２００８−２１２１８７号公報
【発明の概要】
【発明が解決しようとする課題】
【０００５】
ところで、上記従来技術にあっては、ベース部材及び蓋部材の各側壁の外側に係合手段が単独で剥き出しの状態に配置形成されていることから、不正な開封を行う際の標的部分となってしまうという虞を有している。また、係合手段が側壁の外側に配置形成されることから、成形金型の構造が複雑になって製造コストが嵩んでしまうという問題点を有している。
【０００６】
本発明は、上記した事情に鑑みてなされたもので、不正な開封防止に寄与する部分を有し、また、コスト低減を図ることが可能な遊技機の基板ケースを提供することを課題とする。
【課題を解決するための手段】
【０００７】
上記課題を解決するために、本発明の遊技機の基板ケースは、少なくとも基板を収納するための樹脂製のベース部材及び蓋部材を備え、これら前記ベース部材及び前記蓋部材を所定の重ね合わせ状態にすると、前記ベース部材に一又は複数形成されたベース側係合手段と前記蓋部材に一又は複数形成された蓋側係合手段とが係合可能な位置に配置される遊技機の基板ケースにおいて、前記スライド移動の方向に平行な前記ベース部材の長手側壁部に対し交差する方向にのびる短手側壁部の内側と、前記ベース部材の底壁部の内側とに、前記ベース側係合手段を配置することを特徴とする。
【０００８】
このような特徴を有する本発明によれば、ベース側係合手段の配置を短手側壁部の内側や底壁部の内側にすることにより、外側に出ている構造部分が無くなり、このためベース部材の成形金型構造が簡素化される。
【０００９】
また、本発明の遊技機の基板ケースは、前記短手側壁部に前記蓋側係合手段を保護するための保護部を形成することを特徴とする。
【００１０】
このような特徴を有する本発明によれば、ベース側係合手段と蓋側係合手段とが係合可能な位置に配置されると、ベース側係合手段及び蓋側係合手段は保護部の内側に存在するようになることから、外部から保護される。
【００１１】
また、本発明の遊技機の基板ケースは、前記所定の重ね合わせ状態にするためとして、前記ベース部材及び前記蓋部材のいずれか一方を他方に対してスライド移動させるスライド構造を有することを特徴とする。
【００１２】
このような特徴を有する本発明によれば、ベース部材及び蓋部材のいずれか一方を他方に対してスライド移動させて、ベース部材及び蓋部材を所定の重ね合わせ状態にすると、この状態の時に重なり合ったベース側係合手段及び蓋側係合手段は、ベース部材の短手側壁部や保護部、或いはベース部材の底壁部によって保護される。
【発明の効果】
【００１３】
本発明によれば、ベース部材の短手側壁部の内側とベース部材の底壁部の内側とにベース側係合手段を配置することにより、外側に出ている場合と比べてベース部材の成形金型構造を簡素化することができるという効果を奏する。これにより、製造コストの低減を図ることができるという効果を奏する。
【００１４】
また、本発明によれば、ベース部材の短手側壁部に保護部を形成することにより、蓋側係合手段を保護することができるという効果を奏する。これにより、不正防止効果に寄与することや、搬送時等の破損防止に寄与することができるという効果を奏する。
【００１５】
また、本発明によれば、ベース部材及び蓋部材を所定の重ね合わせ状態にするにあたり、スライド移動をより良い形態として提供することができるという効果を奏する。
【図面の簡単な説明】
【００１６】
【図１】本発明の基板ケースを取り付けた遊技機の背面図である。
【図２】図１の基板ケースの分解斜視図である。
【図３】基板ケースの斜視図であり、（ａ）はベース部材を蓋部材に対してスライド移動させる前の状態を示す斜視図、（ｂ）はカシメ後の封止状態を示す斜視図である。
【図４】基板ケースの平面図であり、（ａ）はベース部材を蓋部材に対してスライド移動させる前の状態を示す平面図、（ｂ）はカシメ後の封止状態を示す平面図である。
【図５】ベース部材の図であり、（ａ）はベース部材の平面図、（ｂ）は（ａ）のＩ−Ｉ線断面図、（ｃ）は（ａ）のＪ−Ｊ線断面図である。
【図６】蓋部材の図であり（ａ）は上方から見た蓋部材の斜視図、（ｂ）は下方から見た蓋部材の斜視図である。
【図７】蓋部材の図であり（ａ）は蓋部材の平面図、（ｂ）は蓋部材の正面図、（ｃ）は（ｂ）のＫ−Ｋ線断面図、（ｄ）は（ｂ）のＬ−Ｌ線断面図である。
【図８】ベース部材及び蓋部材の両長手側壁部を含む基板ケースの断面図であり、（ａ）は図４（ａ）のＡ−Ａ線断面図、（ｂ）は（ａ）の要部拡大断面図である。
【図９】ベース部材及び蓋部材の両長手側壁部を含む基板ケースの断面図であり、（ａ）は図４（ａ）のＢ−Ｂ線断面図、（ｂ）は（ａ）の要部拡大断面図である。
【図１０】ベース部材及び蓋部材の両長手側壁部を含む基板ケースの断面図であり、（ａ）は図４（ｂ）のＣ−Ｃ線断面図、（ｂ）は（ａ）の要部拡大断面図である。
【図１１】ベース部材及び蓋部材の両長手側壁部を含む基板ケースの断面図であり、（ａ）は図４（ｂ）のＤ−Ｄ線断面図、（ｂ）は（ａ）の要部拡大断面図である。
【図１２】基板ケースの断面図であり、図４（ａ）のＥ−Ｅ線断面図である。
【図１３】基板ケースの断面図であり、（ａ）は図４（ｂ）のＦ−Ｆ線断面図、（ｂ）は図４（ｂ）のＧ−Ｇ線断面図である。
【図１４】係合部材としてのカシメピンの図であり、（ａ）は斜視図、（ｂ）は平面図、（ｃ）は正面図、（ｄ）底面図、（ｅ）は（ａ）と異なる方向から見た斜視図である。
【図１５】保護部材としてのカバーの図であり、（ａ）は斜視図、（ｂ）は平面図、（ｃ）は正面図、（ｄ）は底面図、（ｅ）は側面図、（ｆ）は（ｂ）のＭ−Ｍ線断面図、（ｇ）は（ｂ）のＮーＮ線断面図である。
【図１６】図４（ｂ）のＨ−Ｈ線断面図である。
【図１７】スライド移動させる方向を変えた時の基板ケースの図であり、（ａ）は斜視図、（ｂ）は平面図である。
【発明を実施するための形態】
【００１７】
以下、図面を参照しながら実施の形態を説明する。図１は本発明の基板ケースを取り付けた遊技機の背面図である。また、図２ないし図１７は本発明の基板ケースに係る図である。
【００１８】
図１において、遊技機の代表例として示されるパチンコ機１００は、外郭を構成する矩形枠状の外枠１０１と、この外枠１０１に対して開閉可能に設けられ、図示しない遊技盤が装着される内枠１０２とを備えている。また、パチンコ機１００は、内枠１０２の背面側にスライド錠１０３と、補給タンク１０４と、タンクレール１０５と、払出装置１０６とを備えている。さらに、パチンコ機１００は、電源基板及びケースを含む電源基板部１０７と、演出制御基板及び盤裏カバーを含む演出制御基板部１０８と、発射制御基板及びケースを含む発射制御基板部１０９と、払出制御基板及びケースを含む払出制御基板部１１０とを備えている。さらにまた、パチンコ機１００は、主制御基板１０（図２参照）と、この主制御基板１０を収容する本発明の基板ケース１１とを備えている（基板ケース１１は主制御基板１０に限らず、上記他の基板を収容するケースにも適用できるものとする）。
【００１９】
尚、上記引用符号１００〜１１０、及び引用符号１０はここでは公知のものを用いており、説明は省略するものとする。以下、本発明の基板ケース１１について説明をする。基板ケース１１は、内枠１０２の背面側に公知の方法で組み付けられている。
【００２０】
図２において、基板ケース１１は、少なくとも主制御基板１０を収容するための透明な樹脂製の部材であって、ベース部材１２と、蓋部材１３とを備えている。また、基板ケース１１は、ベース部材１２及び蓋部材１３をカシメによって係合するためのカシメピン１４と、このカシメピン１４を保護するためのカバー１５とを備えている。
【００２１】
図３及び図４において、基板ケース１１は、主制御基板１０（図２参照）を公知の方法で固定した蓋部材１３に対して、ベース部材１２をスライド移動させながら組み付けるスライド構造を有している。ここで、スライド移動の方向を矢印Ｐで定義すると、このスライド移動の方向に直交する図中下向きの矢印Ｑは、スライド移動の後にベース部材１２及び蓋部材１３が所定の重ね合わせ状態になった時の、重ね合わせの方向に一致するような方向（重ね合わせ方向）を示している。また、図中上向きの矢印Ｑは、ベース部材１２及び蓋部材１３を離す方向に一致するような方向（離間方向）を示している。基板ケース１１は、ベース部材１２及び蓋部材１３が所定の重ね合わせ状態になると、ベース部材１２に形成された複数のベース側係合手段１６と、蓋部材１３に形成された複数の蓋側係合手段１７とが係合可能な位置に配置されるように形成されている。
【００２２】
図３ないし図５において、ベース部材１２は、ＡＢＳ樹脂やポリカーボネート（ＰＣ）等の透明な樹脂材料を用い、これを射出成形することにより一体的に成形されている。ベース部材１３は、平面視矩形（長方形）となる形状に形成されている。ベース部材１２は、底壁部１８と、一対の長手側壁部１９と、この一対の長手側壁部１９を繋ぐ短手側壁部２０と、上記の複数のベース側係合手段１６とを有している。
【００２３】
底壁部１８は、平面視長方形状に形成されている。この長方形状における一対の平行な長い辺に対応する位置には、この辺の全体にわたって一対の長手側壁部１９が矢印Ｑの方向に立ち上がるように形成されている。また、一対の平行な短い辺のうち、一方の辺に対応する位置には、この辺の全体にわたって短手側壁部２０が矢印Ｑの方向に立ち上がるように形成されている。他方となる短い辺に対応する位置には、矢印Ｐの方向に突出する係合用の凸部２１が所定の間隔で二つ形成されている（壁なしの部分となるようにも形成されている）。
【００２４】
底壁部１８は、内外共に平坦な面を有しており、この外面側には補強リブ２２が矢印Ｐの方向に沿って二条、所定の間隔で配置形成されている（本実施例では凸部２１の位置に合わせて配置されている）。補強リブ２２は、矢印Ｐの方向に対し直交する方向にも複数条、所定の間隔で配置形成されている（図１２及び図１３参照）。
【００２５】
長手側壁部１９は、矢印Ｐの方向に平行な側壁部（側壁）であって、底壁部１８の内面側に立ち上がる部分が本体となるように形成されている（外面側に立ち上がる部分は、補強リブ２２と同様にベース部材１２の補強部分として機能するようになっている）。尚、以下の説明では、上記本体となる部分が長手側壁部１９を指すものとする。
【００２６】
長手側壁部１９には、複数の傾斜壁２３と、複数の垂直壁２４とが形成されている。傾斜壁２３及び垂直壁２４は、矢印Ｐの方向に沿って交互に配置されている。また、傾斜壁２３及び垂直壁２４は、長手側壁部１９の全体にわたって配置形成されている。傾斜壁２３は、ベース部材１２の内側に倒れるような方向に傾く形状に形成されている。一方、垂直壁２４は、傾きのない垂直な壁となるように形成されている。垂直壁２４の幅Ｗ１は、蓋部材１３（図７参照）の後述する傾斜壁３６の幅に合わせて設定されている。本実施例においては、垂直壁２４の幅Ｗ１よりも傾斜壁２３の幅Ｗ２の方が大きくなる（Ｗ１＜Ｗ２）ように設定されている（図１７に示すようなスライド移動を可能にするために大きく設定されている）。長手側壁部１９は、これを外側から見た場合、傾斜壁２３の部分が凹むような状態に形成されている。
【００２７】
傾斜壁２３及び垂直壁２４の連続部分には、特に符号を付さないが、直角三角形状の壁が形成されている。
【００２８】
長手側壁部１９の内側で底壁部１８の内面には、矢印Ｐの方向に平行なリブ２５が形成されている（リブ２５は一対形成されている）。リブ２５は、蓋部材１３（図７参照）の後述する一対の長手側壁部３２をガイドし且つ内方への移動を規制することができるように形成されている。また、リブ２５は、この先端が図８ないし図１１に示されるように基板支持部２６として機能するように形成されている。基板支持部２６は、蓋部材１３に固定された主制御基板１０を補助的に支持する部分として形成されている。基板支持部２６は、主制御基板１０の両端近傍を長手方向に沿って、全体にわたり当接・支持することができるように形成されている。
【００２９】
短手側壁部２０は、この外面が平坦であって、内面には複数のベース側係合手段１６が配置形成されている。短手側壁部２０は、この立ち上がり方向で見ると、長手側壁部１９よりも高さが高く形成されている。短手側壁部２０には、複数のベース側係合手段１６がある位置に合わせて保護部２７が形成されている。この保護部２７は、蓋部材１３の複数の蓋側係合手段１７を含めて係合部分を外部から保護することができるような高さに形成されている。
【００３０】
短手側壁部２０の内面には、蓋部材１３の蓋側係合手段１７が差し込まれるような状態になる枠部２０ａが二つ並んで配置形成されている。枠部２０ａは、保護部２７の位置に合わせて配置形成されている。枠部２０ａは、ここに蓋側係合手段１７が差し込まれると、矢印Ｑの方向等の移動を規制することができるように形成されている。枠部２０ａは、不正防止効果を高める部分として形成されている。
【００３１】
ベース側係合手段１６は、ベース部材１２及び蓋部材１３を係合させるための構造部分であって、この全体が平面視台形形状となる形状に形成されている。ベース側係合手段１６は、蓋側係合手段１７に挿入される部分としての挿入部１６ａと、カシメピン１４（図２及び図１６参照）が係合する部分としてのカシメピン係合部１６ｂとを有している。
【００３２】
挿入部１６ａは、平面視台形形状であって、底壁部１８の内面を一段高くするように形成されている。このような挿入部１６ａにおいて、台形の斜辺に対応する部分は次のような部分として形成されている。すなわち、矢印Ｐの方向に対し漸次、幅が大きくなるような形状となる一対の誘導部２８として形成されている。挿入部１６ａには、矢印Ｑの方向に立ち上がるガイド部１６ｃが一対形成されている。この一対のガイド部１６ｃは、短手側壁部２０の内面、且つ一対の誘導部２８の端部に連続するように形成されている。
【００３３】
カシメピン係合部１６ｂは、挿入部１６ａに立設する一対の側壁と、この一対の側壁を繋ぐ天井壁とを有して、図５に示されるような門形の形状部分として形成されている。このような形状のカシメピン係合部１６ｂは、内部に空間を有しており、天井壁には平面視矩形（正方形）に貫通する係合部材挿通孔２９が形成されている。係合部材挿通孔２９及び上記空間には、カシメピン１４（図２及び図１６参照）が係合するようになっている。
【００３４】
ベース側係合手段１６は、上記説明や図面から分かるように、短手側壁部２０の他に底壁部１８によっても保護されている。
【００３５】
尚、ベース側係合手段１６は本実施例において二つであるがこれ以上形成しても良いものとする（例えば四つ。或いは、一つだけ形成してもよいものとする）。ベース側係合手段１６は、所定の間隔で並ぶように配置されている。
【００３６】
図３、図４、図６、及び図７において、蓋部材１３は、ベース部材１２と同様に、ＡＢＳ樹脂やポリカーボネート（ＰＣ）等の透明な樹脂材料を用い、これを射出成形することにより一体的に成形されている。蓋部材１３は、ベース部材１２の平面視の形状に合わせて形成されている。蓋部材１３は、蓋部材本体３０と、鍔部３１と、一対の長手側壁部３２と、この一対の長手側壁部３２を繋ぐ短手側壁部３３及び３４と、上記の複数の蓋側係合手段１７とを有している。
【００３７】
蓋部材本体３０は、主制御基板１０（図２参照）を蓋部材１３に収容固定した時に、基板に実装された電子部品１０ａ等に対し干渉しないような形状に形成されている。また、蓋部材本体３０は、上記電子部品１０ａ等を収容することができる形状に形成されている。鍔部３１は、蓋部材本体３０の周囲に連続する鍔状の部分として形成されている。鍔部３１には、主制御基板１０に設けられた端子台１０ｂを露出するための孔３５が形成されている（孔３５の図中の配置は一例であるものとする）。主制御基板１０は、鍔部３１の孔３５から端子台１０ｂを露出した状態で固定することにより配線接続可能となる。主制御基板１０には、固定用のビス孔１０ｃが形成されている。主制御基板１０は、上記ビス孔１０ｃを介して蓋部材本体３０（及び鍔部３１）に突設された図示しないボス（ビス穴を有する）にビス止めされるようになっている。
【００３８】
長手側壁部３２は、上記矢印Ｐの方向に平行な側壁部（側壁）であって、鍔部３１の縁部に連続するように形成されている（鍔部３１の縁部から下がるように形成されている）。長手側壁部３２は、上記スライド移動の際に、ベース部材１２の長手側壁部１９の内側でリブ２５によってガイドされるように形成されている。このような長手側壁部３２には、複数の傾斜壁３６と、複数の垂直壁３７とが形成されている。傾斜壁３６及び垂直壁３７は、矢印Ｐの方向に沿って交互に配置されている。また、傾斜壁３６及び垂直壁３７は、長手側壁部３２の全体にわたって配置形成されている。傾斜壁３６は、蓋部材１３の外側に開くような方向に傾く形状に形成されている。傾斜壁３６の幅Ｗ１は、上記のようにベース部材１２の垂直壁２４の幅Ｗ１に合わせて設定されている。一方、垂直壁３７は、傾きのない垂直な壁となるように形成されている。長手側壁部３２は、これを外側から見た場合、垂直壁３７の部分が凹むような状態に形成されている。
【００３９】
傾斜壁３６及び垂直壁３７の連続部分には、特に符号を付さないが、直角三角形状の壁が形成されている。
【００４０】
短手側壁部３３は、蓋部材１３の端面位置Ｒ（図７参照）よりも内側に蓋側係合手段１７を配置することができるように形成されている（短手側壁部３３は、この両端以外が端面位置Ｒよりも内側に凹むような形状の側壁部として形成されている）。このような短手側壁部３３の両端、すなわち端面位置Ｒの部分には、リブ２５をスライド自在に差し込むことができる一対の切り欠き部３８が形成されている（切り欠き部３８は蓋部材１３の内部にも形成されている）。また、端面位置Ｒの部分で上方には、一対の膨出部分３９が形成されている。
【００４１】
短手側壁部３４は、内外共に平坦な面であって、ベース部材１２の凸部２１が差し込まれて係合するような凹部４０を二つ有している。凹部４０は、ここにベース部材１２の凸部２１が差し込まれて係合すると、この部分において上記矢印Ｑの方向の移動（離間方向の移動）を規制することができるようになっている。尚、凹部４０及び凸部２１の係合は、本実施例において、後述する傾斜壁２３及び３６同士の係合が生じた時にこれを補助する機能を有している。凹部４０及び凸部２１や、傾斜壁２３及び３６を有することにより、平面視矩形状の基板ケース１１は、この周囲の四カ所で何らかの係合が生じるようになっている。
【００４２】
蓋側係合手段１７は、ベース部材１２及び蓋部材１３を係合させるための構造部分であって、この全体が平面視台形形状となる形状、また、二階建てとなる構造に形成されている。もう少し具体的に説明すると、蓋側係合手段１７は、一階部分としての第一収容部４１と、二階部分としての第二収容部４２と、これら第一収容部４１及び第二収容部４２の間に介在する中間壁４３とを含んで構成されている。
【００４３】
第一収容部４１は、上記端面位置Ｒ（図７参照）に面する部分が開口してベース側係合手段１６が収容される平面視台形形状の部分であって、ベース側係合手段１６の一対の誘導部２８を誘導することが可能な一対の誘導受け部４４を有している。この一対の誘導受け部４４は、台形の斜辺となる部分に対応する壁であって、矢印Ｐの方向に対し漸次、幅が大きくなるような形状に形成されている。
【００４４】
第二収容部４２は、カシメピン１４（図２及び図１６参照）を収容することができるように形成されている。また、第二収容部４２は、カシメピン１４を収容した状態において、この開口がカバー１５によって覆われるように形成されている。第二収容部４２は、台形の四つの辺に対応する壁によって囲まれるように形成されている。
【００４５】
中間壁４３には、平面視矩形（正方形）に貫通する係合部材挿通孔４５と、平面視矩形（長方形）に貫通する一対の保護部材挿通孔４６とが形成されている。係合部材挿通孔４５は、カシメピン１４（図１６参照）の後述する本体部４８及び逆止部５０を第一収容部４１側に挿入することができるように、また、逆止部５０を第一収容部４１側で引っかけることができるように形成されている。一対の保護部材挿通孔４６は、係合部材挿通孔４５と同様に、第一収容部４１側でカバー１５の後述する逆止部５９を引っかけることができるように形成されている。
【００４６】
本実施例の基板ケース１１は、ベース側係合手段１６及び蓋部材係合手段１７を係合する際に、蓋部材係合手段１７の上記二階部分に収容されたカシメピン１４（図２及び図１６参照）をこの直下の一階部分に向けて押し込むだけで済むようになっている。
【００４７】
蓋部材係合手段１７は、上記のように平面視台形形状であり、この台形の連続する３辺に対応する３面にそれぞれ直交するように複数の切断部４７が配置されている。蓋部材係合手段１７は、切断部４７によって蓋部材１３の蓋部材本体３０や膨出部分３９に連結されている。切断部４７は、蓋側係合手段１７を蓋部材１３から分離するため切断可能な部分であって、薄肉の板片状に形成されている。尚、切断部４７を上記の３面に対し直交するように配置していることから、比較的薄肉の切断部４７であっても連結状態での強度を確保することができるようになっている。
【００４８】
上記構成及び構造において、ベース部材１２を上記矢印Ｑの方向に沿って下から上に向けて移動させ蓋部材１３に装着すると、ベース部材１２及び蓋部材１３は、図３（ａ）及び図４（ａ）に示された状態になる。この時、ベース部材１２の一対の長手側壁部１９及び蓋部材１３の一対の長手側壁部３２は、次のような状態になる。
【００４９】
図８において、ベース部材１２の長手側壁部１９における垂直壁２４とリブ２５との間には、蓋部材１３の長手側壁部３２における傾斜壁３６が配置された状態になる。また、図９において、ベース部材１２の長手側壁部１９における傾斜壁２３とリブ２５との間には、蓋部材１３の長手側壁部３２における垂直壁３７が配置された状態になる（図８及び図９のような配置でベース部材１２及び蓋部材１３の下から上に向けての装着が可能な状態になる）。
【００５０】
この他、ベース部材１２及び蓋部材１３を上記のように装着した時には、次のような状態にもなる。図１２において、蓋部材１３の蓋部材係合手段１７に対しベース部材１２の底壁部１８が当接し、あたかも底壁部１８に蓋部材係合手段１７が載置されたような状態になる（蓋部材１３の第一収容部４１に対してベース部材１２の底壁部１８が摺接可能な状態になる）。また、ベース部材１２のリブ２５の先端によって主制御基板１０が補助的に支持された状態になる。
【００５１】
上記装着状態からベース部材１２を蓋部材１３に対して矢印Ｐの方向にスライド移動させると、図３（ｂ）及び図４（ｂ）に示された状態になる。そして、この時、ベース部材１２の一対の長手側壁部１９及び蓋部材１３の一対の長手側壁部３２は、次のような状態になる。
【００５２】
図１０において、ベース部材１２の長手側壁部１９における垂直壁２４とリブ２５との間には、蓋部材１３の長手側壁部３２における垂直壁３７が配置された状態になる（垂直壁３７は、スライド移動によって垂直壁２４とリブ２５との間から移動してくる。尚、垂直壁３７は、図から分かるように、リブ２５に近接する配置であることから、内方への押し込みができないような状態になっている。つまり、本実施例では内方への押し込みを効果的に抑制することができるようになっている）。また、図１１において、ベース部材１２の長手側壁部１９における傾斜壁２３とリブ２５との間には、蓋部材１３の長手側壁部３２における傾斜壁３６が配置された状態になる（傾斜壁３６は、傾斜壁２３とリブ２５との間から移動し、傾斜壁２３と対向する）。
【００５３】
スライド移動の過程においては、次のような状態にもなる。図１２及び図１３において、蓋部材１３の第一収容部４１に対し底壁部１８の内面が摺接し、この後に第一収容部４１にベース側係合手段１６が差し込まれる（第一収容部４１に対し底壁部１８の内面が摺接することから位置が安定し、引っ掛かりのないスムーズな差し込みが行われる）。ベース側係合手段１６は、漸次幅が大きくなる形状の一対の誘導部２８（図５参照）を有し、また、蓋側係合手段１７も漸次幅が大きくなる形状の一対の誘導受け部４４（図６参照）を第一収容部４１に有することから、ベース側係合手段１６は第一収容部４１にスムーズ且つ確実に差し込まれる（仮に若干の位置ズレがあったとしても所定の位置に矯正される）。
【００５４】
第一収容部４１にベース側係合手段１６が完全に差し込まれると、ベース部材１２のベース側係合手段１６及び蓋部材１３の蓋部材係合手段１７は係合可能な状態になる。以下、ベース側係合手段１６及び蓋部材係合手段１７を係合するためのカシメピン１４について、また、このカシメピン１４を保護するためのカバー１５について説明をする。
【００５５】
図１４及び図１６において、カシメピン１４は、樹脂製の係合部材であって、本体部４８と、この本体部４８の一端に連成される係止部４９と、本体部４８の他端に連成される逆止部５０とを有している（正面視の形状が「π」のような形状に形成されている）。
【００５６】
本体部４８は、相対向する一対の短冊形状となるバネ片として形成されている。この一対のバネ片となる本体部４８は、上記矢印Ｐの方向及び矢印Ｑの方向に直交方向で相対向するように配置形成されている。本体部４８は、図１４中の矢印Ｓ方向（上記直交方向に一致するものとする。矢印Ｓを撓み方向とする）に撓むように形成されている。本体部４８は、逆止部５０を有する状態で、ベース部材係合手段１６のカシメピン係合部１６ｂにおける係合部材挿通孔２９、及び、蓋部材係合手段１７の中間壁４３における係合部材挿通孔４５に挿通可能なサイズに形成されている。
【００５７】
尚、ベース側係合手段１６及び蓋部材係合手段１７の係合後、上記矢印Ｐの方向（スライド移動の方向）に外力が掛かると、本体部４８の側部５１が係合部材挿通孔２９及び４５に当接して移動が阻止されるようになっている。
【００５８】
係止部４９は、蓋部材係合手段１７における第二収容部４２の平面視の形状に合わせて台形形状に形成されている。係止部４９は、板状であって、一方の面に本体部４８が連成されている。この一方の面は、蓋部材係合手段１７の中間壁４３に当接する部分（ストッパーとして機能する部分）として形成されている。係止部４９の他方の面の中央には、係合時において図示しないドライバーや専用の治具等でカシメピン１４を押し込むための凹部５２が形成されている。
【００５９】
逆止部５０は、一対のバネ片となる本体部４８の先端外側にそれぞれ配置形成されている。逆止部５０は、テーパ面と係止面とを含む突起であって、係止面がベース部材係合手段１６の係合部材挿通孔２９の縁部に引っ掛かるように形成されている。
【００６０】
図１５及び図１６において、カバー１５は、樹脂製の保護部材であって、蓋部材係合手段１７における第二収容部４２の開口を覆うとともに、中間壁４３の一対の保護部材挿通孔４６に係合することができるように形成されている。カバー１５は、カバー本体５３と、一対の係合脚部５４とを有している。
【００６１】
カバー本体５３は、台形形状の天井壁５５と、この天井壁５５に連続する側壁５６とを有している。天井壁５５には、この中央に円形の貫通孔５７が形成されている。貫通孔５７は、カシメピン１４を押し込むために図示しないドライバーや専用の治具等を挿入するための部分として形成されている。側壁５６は、台形の四つの辺に対応するような四つの壁からなる部分であって、この内側にはカシメピン１４を収容することができる大きさの収容空間５８が形成されている。
【００６２】
一対の係合脚部５４は、側壁５６における、台形の一対の斜辺に対応する位置に配置形成されている。一対の係合脚部５４の各先端には、一対の保護部材挿通孔４６を通過してこの縁部に係合する逆止部５９が形成されている。
【００６３】
図１６において、この図に示されるように、ベース側係合手段１６及び蓋部材係合手段１７が係合可能な状態にある時にカシメピン１４を押し込むと、カシメピン１４の逆止部５０がベース側係合手段１６のカシメピン係合部１６ｂに係合し、また、カシメピン１４の係止部４９が蓋部材係合手段１７の中間壁４３に係合する。このような係合により、基板ケース１１の一連の組み立て作業が完了する。
【００６４】
以上、図１ないし図１６を参照しながら説明してきた基板ケース１１について補足説明をすると、図１７に示すように、ベース部材１２及び蓋部材１３は、この構造上、ベース部材１２を蓋部材１３に対して上記の逆方向にスライド移動させることができるようにもなっている。
【００６５】
本発明は本発明の主旨を変えない範囲で種々変更実施可能なことは勿論である。
【００６６】
変更の一例を挙げるとすると、上記説明では長手側壁部１９の延在方向に沿ってスライド移動がなされるように形成されていたが、これに限らず短手側壁部２０の延在方向に沿ってスライド移動がなされるように形成してもよいものとする。この場合、ベース側係合手段１６、蓋側係合手段１７、傾斜壁２３、垂直壁２４、リブ２５、保護部２７、傾斜壁３６、垂直壁３７、切り欠き部３８などの配置を変更する必要があるのは言うまでもない。尚、短手側壁部２０の延在方向に沿ってスライド移動がなされる場合には、特許請求の範囲に記載された「長手」を「短手」に、また、「短手」を「長手」に読み替えるものとする。
【符号の説明】
【００６７】
１０…主制御基板（基板）
１１…基板ケース
１２…ベース部材
１３…蓋部材
１４…カシメピン（係合部材）
１５…カバー（保護部材）
１６…ベース側係合手段
１６ａ…挿入部
１６ｂ…カシメピン係合部
１６ｃ…ガイド部
１７…蓋側係合手段
１８…底壁部
１９…長手側壁部
２０…短手側壁部
２１…凸部
２２…補強リブ
２３…傾斜壁
２４…垂直壁
２５…リブ
２６…基板支持部
２７…保護部
２８…誘導部
２９…係合部材挿通孔
３０…蓋部材本体
３１…鍔部
３２…長手側壁部
３３…短手側壁部
３４…短手側壁部
３５…孔
３６…傾斜壁
３７…垂直壁
３８…切り欠き部
３９…膨出部分
４０…凹部
４１…第一収容部
４２…第二収容部
４３…中間壁
４４…誘導受け部
４５…係合部材挿通孔
４６…保護部材挿通孔
４７…切断部
４８…本体部
４９…係止部
５０…逆止部
５１…側部
５２…凹部
５３…カバー本体
５４…係合脚部
５５…天井壁
５６…側壁
５７…貫通孔
５８…収容空間
５９…逆止部
１００…パチンコ機（遊技機）
１０１…外枠
１０２…内枠
１０３…スライド錠
１０４…補給タンク
１０５…タンクレール
１０６…払出装置
１０７…電源基板部
１０８…演出制御基板部
１０９…発射制御基板部
１１０…払出制御基板部
Ｐ…スライド方向
Ｑ…重ね合わせ方向・離間方向
Ｒ…端面位置
Ｓ…撓み方向
【図１】
2010246732.tif 000003
【図２】
2010246732.tif 000004
【図３】
2010246732.tif 000005
【図４】
2010246732.tif 000006
【図５】
2010246732.tif 000007
【図６】
2010246732.tif 000008
【図７】
2010246732.tif 000009
【図８】
2010246732.tif 000010
【図９】
2010246732.tif 000011
【図１０】
2010246732.tif 000012
【図１１】
2010246732.tif 000013
【図１２】
2010246732.tif 000014
【図１３】
2010246732.tif 000015
【図１４】
2010246732.tif 000016
【図１５】
2010246732.tif 000017
【図１６】
2010246732.tif 000018
【図１７】
2010246732.tif 000019